(57)【要約】【課題】  着用する人のウエストラインを美しく引き締めるとともに衣服のベルト部の上からベルトをきつく締めてもベルト部の周りに皺、撚れ等が生じることなく見栄えを良好に保つことができること。【解決手段】  ズボン、スカート等の衣服のウエスト部分に接続したインナー用の伸縮性の素材７７Ａで作られたガードル形の伸縮性インナーウエストベルト７７において、裁ち切りしたニット生地からなる伸縮性の素材７７Ｂ，７７Ｃを部分的に２枚または３枚重ね、それをジグザグ縫いし、かつ、少なくとも伸縮性インナーウエストベルト７７の背面から見た前記重ね縫い箇所は、伸縮性の素材７７Ｂまたは伸縮性の素材７７Ｃに示すように、中央から両脇に向かってウエスト部分側に上昇するようにした箇所を有するから、着用する人のウエスト部分の弛んだ部分、は出っ張った部分を引き締めることができる。【選択図】        図２３
2005171477.tif 000002
【特許請求の範囲】
【請求項１】
衣服のウエスト部分に接続したインナー用の伸縮性の素材で作られたガードル形の伸縮性インナーウエストベルトにおいて、
裁ち切りした前記伸縮性の素材を部分的に複数枚重ね、かつ、少なくとも前記伸縮性インナーウエストベルトの背面から見た前記重ね縫いの箇所は、前記伸縮性インナーウエストベルトの中央から両脇に向かってウエスト部分に近づくように配置し、それをジグザグ縫いしてなることを特徴とする伸縮性インナーウエストベルト。
【請求項２】
前記伸縮性インナーウエストベルトは、前記衣服の裏側に着脱可能であることを特徴とする請求項１に記載の伸縮性インナーウエストベルト。
【請求項３】
前記伸縮性インナーウエストベルトの股上は、地縫いして、その縫い代を割り、縫い目のところをジグザグ縫いし、かつ、カーブのきつい縫付けはコールゴムをジグザグ縫いで縫付けてなることを特徴とする請求項１または請求項２に記載の伸縮性インナーウエストベルト。
【発明の詳細な説明】
【技術分野】
【０００１】
本発明は、ズボン等の衣服の下に着用してウエストサイズを引き締めることができるとともに、衣服のウエスト周りの見栄えを良くすることができる伸縮性インナーウエストベルトに関するものであり、ウエスト周りに取り付けることにより衣服全般に適用できるものである。
【背景技術】
【０００２】
本発明者は、先に、着用する人のウエストサイズに合わせてウエストサイズを調節できるとともに、着用する人のウエストサイズだけでなく腰近傍の寸法が多少変化しても、着用感や見栄えを損なわないズボン、スカート等のウエストサイズ調節機構付衣服にかかる発明についての出願（特許文献１）をしている。この発明のウエストサイズ調節機構付衣服においては、ズボン等のファスナーの上端のベルト部にそれぞれ２つ以上の鉤部と受部を有する掛止金具を取り付けることによって、４つ以上のウエストサイズの変化を可能とするとともに、ウエストサイズの変化に伴ってファスナーテープが移動できるように調節布を介してファスナーテープをズボン等の上前に縫い付けている。これによって、着用する人の腰周り寸法に合わせてズボン等の腰周り寸法を掛止金具によって調節し、同時に着用する人の腰の下部周りの寸法を調節布によってファスナーテープを適宜動かすことによって調節することができる。
【０００３】
一方、特許文献２のスラックス用裏地は、パワーネットからなる左側布と右側布により細目のアンダーパンツ形状とし、左側布と右側布は共に伸びの方向を横方向に設定され、裏地はパワーネットを所定幅のテープ状に裁断した左右の補強片を含み、補強片は後側股部付近からそれぞれ左右の脇部を通りウエスト部の前側中央部まで至るようにして前記左側布および右側布にそれぞれ縫着されており、裏地は更にゴム等の弾性材よりなる弾性テープを含んでおり、弾性テープは伸張した状態で裏地の後中心はぎ部に沿って縫い付けられているものである。
【０００４】
このように、半製品として構成されたスラックス用裏地は、そのウエスト部にて縫い付けて取付けたことにより、比較的ゆったりしたスラックスであっても、裏地がスラックス表地を引っ張って形を崩すことは全くなく、どのようなデザインのものにも広く適用できると共に、裏地のウエスト部をスラックスのウエスト部に縫い付けるだけであるので、通常の本縫いミシンにて簡単容易に裏地の縫い付けを行なうことができる。また、裏地を取付けたスラックスを着用した状態では、スラックスの内側にて、裏地が伸びて着用者の腰部、ヒップ部、腹部等にぴったりフィットして程よく締付けることにより、効果的な体形補整が行なわれる。
【特許文献１】特開２０００−１３０２０３
【特許文献２】特許第３５０９３０９号
【発明の開示】
【発明が解決しようとする課題】
【０００５】
しかし、特許文献１にかかるズボン等においても、ベルト部の上からベルトをきつく締めると衣服のベルト部の周りに皺、撚れ、突っ張り皺等が生じて外観を損ねる。特に、下腹部の出ている人の場合には、下腹部の大きさにウエストサイズを合わせるとベルト付近ではウエストサイズが大きくなりすぎて生地が余るため、ベルト周辺に皺、撚れを生じる。かかる問題は、着用する人のウエストラインを引き締めるとともに、衣服の生地の余りをインナーによって調節する必要がある。
【０００６】
また、特許文献２にかかるスラックス用裏地は、パワーネットからなる細目のアンダーパンツを形成するものの、体形の全般に外力が加わるものの、ヒップアップ等の体形補整をするという能力に欠けていた。
【０００７】
そこで、本発明は、着用する人のウエストラインを美しく引き締めるとともに衣服のベルト部の上からベルトをきつく締めてもベルト部の周りに皺、撚れ等が生じることなく見栄えを良好に保つことができる伸縮性インナーウエストベルトの提供を課題とするものである。
【課題を解決するための手段】
【０００８】
請求項１にかかる伸縮性インナーウエストベルトは、ズボン、スカート等の衣服のウエスト部分の内側に接続したインナー用の伸縮性の素材で作られたガードル形の伸縮性インナーウエストベルトにおいて、裁ち切りした前記伸縮性の素材を部分的に複数枚重ね、それをジグザグ縫いし、かつ、少なくとも前記伸縮性インナーウエストベルトの背面から見た前記重ね縫いの箇所は、中央から両脇に向かってウエスト部分に近づくように配置したものである。
【０００９】
ここで、裁ち切りしたニット生地は、例えば、２枚または３枚重ね、そして、それをジグザグ縫いしたものである。また、伸縮性インナーウエストベルトの背面から見た前記重ね縫いは、中央から両脇に向かってウエスト部分側に上昇するように形成されたものである。
【００１０】
請求項２にかかる伸縮性インナーウエストベルトは、前記衣服の裏側に着脱可能としたものである。
【００１１】
請求項３にかかる伸縮性インナーウエストベルトの股上は、中縫い（地縫い）して、その縫い代を割り、縫い目のところをジグザグ縫いし、カーブのきつい縫付けをコールゴムをジグザグ縫いで縫付けたものである。
【発明の効果】
【００１２】
請求項１にかかる伸縮性インナーウエストベルトは、ズボン、スカート等の衣服のウエスト部分に接続したインナー用の伸縮性の素材で作られたガードル形の伸縮性インナーウエストベルトにおいて、裁ち切りした伸縮性の素材を部分的に複数枚重ね、それをジグザグ縫いし、かつ、少なくとも伸縮性インナーウエストベルトの背面から見た前記重ね縫い箇所は、中央から両脇に向かってウエスト部分側に上昇するようにした箇所を有するから、前記ウエスト部分の弛んだ部分あるいは出っ張った部分を引き締めることができる。
【００１３】
したがって、着用する人のウエストラインを美しく引き締めるとともに衣服のベルト部の上からベルトをきつく締めてもベルト部の周りに皺、撚れ等が生じることなく見栄えを良好に保つことができる。
この結果、衣服のベルト部においてベルトをきつく締めてもベルト部の周りに皺、撚れ等は殆ど生じない。特に、本発明者の発明にかかる上述のウエストサイズ調節機構付衣服においては、引き締められたウエストサイズに合わせて衣服のウエストサイズを縮めることができるので、ベルト部の周りに皺、撚れ等が生じることなく見栄えを良好に保つことができる。更に、長期間継続して着用することによって、ウエストサイズを縮小させる効果も期待できる。
【００１４】
請求項２にかかる伸縮性インナーウエストベルトは、前記衣服の裏側に着脱可能としたものであるから、請求項１の効果に加えて、伸縮性インナーウエストベルトは必要に応じて外すことができる。
【００１５】
これによって、衣服の裏側に着けて着用したときは、ウエスト部分が引き締められてウエストラインが美しく保たれるとともに、伸縮性の素材からなる伸縮性インナーウエストベルトが衣服の裏側に密着しているために、衣服のウエスト部分の生地も引き締められることになり、衣服のベルト部の上からベルトをきつく締めてもベルト部の周りに皺、撚れ等が生じることがない。そして、衣服のウエストラインと伸縮性インナーウエストベルトのウエストラインがずれることがないので、かかる効果を確実に持続させることができる。更に、長期間継続して着用することによって、ウエストサイズを縮小させる効果も期待できる。また、伸縮性インナーウエストベルトが不要なときには、衣服の裏側から外すことによって、衣服のみを着用することができる。更に、衣服の裏側から外すことによって、伸縮性インナーウエストベルトのみを洗濯することもできる。
【００１６】
請求項３にかかる伸縮性インナーウエストベルトの股上は、地縫い（中縫い）して、その縫い代を割り、縫い目のところをジグザグ縫いし、かつ、カーブのきつい縫付けをコールゴムをジグザグ縫いで縫付けたものであるから、請求項１または請求項２の効果に加えて、伸縮性を抑制することなく縫製を行うことができる。
【発明を実施するための最良の形態】
【００１７】
本発明の実施の形態を説明するにあたって、技術的説明のための参考例についても説明する。
【００１８】
［参考例１］
まず、参考例１について、図１乃至図４を参照して説明する。
【００１９】
参考例１は、本発明の伸縮性インナーウエストベルトを主に紳士用ズボンに適用した場合を例示するものである。本発明の伸縮性インナーウエストベルトは、主に婦人用ズボン（婦人用パンツ）に適用されるものであるが、以下に示すように、紳士用ズボンにも適用することができる。
【００２０】
図１（ａ）は参考例１にかかる伸縮性インナーウエストベルトの接続を外して伸ばした状態を示す全体正面図、（ｂ）は伸縮性インナーウエストベルトの両端を接続して着用状態としたときの正面から見た全体を示す斜視図、（ｃ）は着用状態としたときの背面のみを示す背面図である。また、図２は参考例１にかかる伸縮性インナーウエストベルトの製造工程を示す説明図である。図３は参考例１にかかる伸縮性インナーウエストベルトの前面部分の構造を表から見て示す一部正面図である。図４（ａ）は参考例１にかかる伸縮性インナーウエストベルトをズボンの裏側に着脱自在に接続するＺナップの構造を示す説明図、（ｂ）は伸縮性インナーウエストベルトをズボンの裏側に装着した状態を示す斜視図である。
【００２１】
図１に示されるように、参考例１にかかる伸縮性インナーウエストベルト１は、略平行に並べられた複数のゴムテープ２をゴムテープ２の伸びる方向（水平方向）と略垂直な方向（上下方向）に伸びる細い合成樹脂製の繊維で繋ぎ合わせた伸縮性の素材としてのゴムベルト生地３を主体として構成されている。したがって、このゴムベルト生地３は、上下方向には合成樹脂製の繊維で支持されているため伸縮性がなく形状を維持し、水平方向にはゴムテープ２の弾力性で伸縮自在となっている。ゴムベルト生地３は、全部で７つの部分に分割されており、これらの７つの部分３ａ，３ｂ，３ｃ，３ｄ，３ｅ，３ｆ，３ｇがそれぞれ接続されて伸縮性インナーウエストベルト１を形成している。これらの５箇所の接続部分５ａ，５ｂ，５ｃ，５ｄ，５ｅはそれぞれ布テープでカバーされて、布テープの中には型崩れを防ぐため支持部材としての金属製のコイルボーンが挿入されている。なお、接続方法の詳細については後述する。
【００２２】
接続されたゴムベルト生地３の左端の部分３ａの表側には、部分３ａ全体を覆って接着布（マジックテープ（登録商標））４の軟らかい側４Ａが縫い付けられている。ゴムベルト生地３の左端の部分３ａは縦の寸法が約１０ｃｍ、横の寸法が約８ｃｍなので、接着布４の軟らかい側４Ａもこれとほぼ同じ大きさである。一方、ゴムベルト生地３の右端の部分３ｅの右端の裏側には、接着布４の硬い側４Ｂが縫い付けられている。接着布４の硬い側４Ｂは、縦の寸法が約１０ｃｍ、横の寸法が約２ｃｍである。したがって、この接着布４の硬い側４Ｂを約８ｃｍの横幅を有する接着布４の軟らかい側４Ａのどの部分に接着させて止めるかによって、伸縮性インナーウエストベルト１の腰周り寸法が約８ｃｍの範囲で調節できることになる。
【００２３】
接続されたゴムベルト生地３の外周は、ニットパイピング６によって包まれて形を整えられる。そして、伸縮性インナーウエストベルト１の上端のニットパイピング６には、ズボンの裏側（内側）に接続するためのＺナップ７の凸側７Ａが、ズボンの前側に対応する部分３ｅの上端を除いて、所定の間隔で取り付けられている。
【００２４】
接着布４の硬い側４Ｂを軟らかい側４Ａに接着して、着用状態とした伸縮性インナーウエストベルト１を正面から見たのが図１（ｂ）である。図１（ｂ）に示されるように、伸縮性インナーウエストベルト１の前面までズボンの裏側に固定してしまうと接着布４による腰周り寸法の調節が困難になるため、ゴムベルト生地３の部分３ｅにはＺナップ７の凸側７Ａが取り付けられていない。更に、ゴムベルト生地３の部分３ｅの上には、下方に伸びてＶ字形をなすゴムベルト生地３の部分３ｆ，３ｇが縫い付けられて二重構造になっている。部分３ｆ，３ｇの接続部分５ｅは下腹部に当たる部分であるため、引き締め効果を高めるために、この接続部分５ｅのみ金属製のコイルボーンではなく厚いベルト芯素材からなる支持部材としての硬い芯が挿入されている。このように伸縮性インナーウエストベルト１の前面が、上腹部を包むゴムベルト生地３の部分３ｅと、下腹部を包むゴムベルト生地３の部分３ｆ，３ｇの二重構造になっていることから、着用する人の腹部全体が強力に引き締められてウエストラインが美しく整えられる。
【００２５】
また、図１（ｃ）に示されるように、背面側のゴムベルト生地３の部分３ｂ，３ｃ，３ｄのニットパイピング６に包まれた下端部が細かい波形のラインになっていることによって、人によって異なる腰の丸み及び腰周り寸法に対応することができ、あらゆる体形にフィットするものとなる。
【００２６】
次に、ゴムベルト生地３の各部分３ａ，…，３ｇの接続方法の詳細について、図２を参照して説明する。
【００２７】
まず、図２（ａ）に示されるように、接続する２枚のゴムベルト生地３の端を突き合わせて、繋ぎ目の下側に布テープ８を当てて、上下の繋ぎ目を返し縫い９によって２枚のゴムベルト生地３の端を布テープ８に縫い付ける。これによって２枚のゴムベルト生地３がずれなくなり、次の縫い付け工程がやり易くなる。次に、図２（ｂ）に示されるように、２枚のゴムベルト生地３の間に隙間ができないように突き合わせながら、布テープ８の両縁に沿ってステッチ縫い８ａによって２枚のゴムベルト生地３を布テープ８に縫い付ける。続いて、図２（ｃ）に示されるように、２枚のゴムベルト生地３の繋ぎ目の上からも布テープ１０を当てて、布テープ１０の両縁に沿ってステッチ縫い１０ａを施すことによって２枚のゴムベルト生地３に布テープ１０を縫い付ける。そして、筒状になった布テープ１０の中に、図２（ｄ）に示されるような金属製のコイルボーン１１を挿入する。後は、前述の如く、ゴムベルト生地３の上下の縁をニットパイピング６で包み込んで外形を整える。
【００２８】
このようにゴムベルト生地３を何枚かの部分に分けて、それらを接続することによって伸縮性インナーウエストベルト１を構成すれば、背面側の下端部の波形のライン等を有する複雑な形状の伸縮性インナーウエストベルト１も容易に製造することができる。そして、接続部分に上下方向に支持部材としてのコイルボーン１１を取り付けることによって、接続部分が上下方向に縮むのを防いで、伸縮性インナーウエストベルト１を所定の形状に保つことができ、あらゆる体形の人に適用することができる。
【００２９】
次に、伸縮性インナーウエストベルト１の前面部分３ｅ，３ｆ，３ｇの接続方法の詳細について、図３を参照して説明する。
【００３０】
まず、図３に示されるように、ゴムベルト生地３の部分３ｅ，３ｆについては、隣の部分３ｄと接続部分５ｄで接続されるときに、図２で説明したように、部分３ｅ，３ｆが重ね合わされた状態で一体に縫い付けられる。このとき、補強のために部分３ｅ，３ｆが重ね合わされた部分の上端部に返し縫い１２が施される。また、ゴムベルト生地３の部分３ｆ，３ｇについては、接続した形状がＶ字形になるだけで、図２で説明した手順にしたがって接続される。但し、上述したように、接続部分５ｅにはコイルボーン１１ではなく、厚いベルト芯素材からなる硬い芯が挿入される。また、ゴムベルト生地３の部分３ｅ，３ｇについては、端部において２枚がステッチ縫い１３によって縫い止められ、上端部は１ｃｍほど返し縫いされる。この裏側に、接着布４の硬い側４Ｂが縫い付けられる。
【００３１】
次に、このようにして製造された伸縮性インナーウエストベルト１の実際の使用方法について、図４を参照して説明する。
【００３２】
伸縮性インナーウエストベルト１は、Ｚナップ７によってウエストサイズ調節機構付ズボン（以下、単に「ズボン」ともいう。）１５の裏側（内側）に着脱可能に取り付けられる。図４（ａ）に示されるように、Ｚナップ７は合成樹脂製の凸側７Ａと凹側７Ｂとからなり、凸側７Ａの膨らんだ先端部７ａを凹側７Ｂの下面の穴（図示せず）から押し込むことによって、凸側７Ａの膨らんだ先端部７ａが凹側７Ｂの側面の貫通穴７ｂにはまり込んで接続されるものである。Ｚナップ７の凸側７Ａは、前述の如く伸縮性インナーウエストベルト１の上端のニットパイピング６に取り付けられ、Ｚナップ７の凹側７Ｂは布地テープ１４に取り付けられて、布地テープ１４は、図４（ｂ）に示されるように、ズボン１５のベルト部１６の裏側に縫い付けられる。
【００３３】
そして、ズボン１５のファスナーを全開にして伸縮性インナーウエストベルト１を接着布４を外した状態でズボン１５の中に入れ、Ｚナップ７の凸側７Ａを対応するＺナップ７の凹側７Ｂに嵌め込んで、ズボン１５の裏側に伸縮性インナーウエストベルト１が装着される。この状態で、着用する人がズボン１５をはいて、伸縮性インナーウエストベルト１の接着布４を好みの締め付け具合のところで止める。そして、伸縮性インナーウエストベルト１によって引き締められたウエストサイズに合うように、２つの鉤部を有する鉤構成体１７と２つの受部を有する受構成体１８からなる掛止金具によって、ズボン１５のウエストサイズを調節する。
【００３４】
このようにズボン１５の下に伸縮性インナーウエストベルト１を着用することによって、ウエスト部分が引き締められてウエストラインが美しく保たれる。そして、ウエストサイズ調節機構付ズボン１５においては、引き締められたウエストサイズに合わせてウエストサイズを縮めることができるので、ズボン１５が着用する人のウエストサイズにぴったりフィットし、ベルト部１６の周りに皺、撚れ等が全く生じることなく見栄えを良好に保つことができる。そして、ズボン１５のウエストラインと伸縮性インナーウエストベルト１のウエストラインがずれることがないので、かかる効果を確実に持続させられる。
【００３５】
このようにして、参考例１の伸縮性インナーウエストベルト１においては、着用する人のウエストラインを美しく引き締めるとともに、ズボン１５のベルト部１６の上からベルトをきつく締めてもベルト部１６の周りに皺、撚れ等が全く生じることなく見栄えを良好に保つことができる。また、参考例１の伸縮性インナーウエストベルト１を長期間継続して着用することによって、ウエストラインが継続的に引き締められるため、ウエストサイズを縮小する効果も期待できる。更に、Ｚナップ７によって伸縮性インナーウエストベルト１をズボン１５から着脱自在としたことによって、ズボン１５単独でも着用することができるとともに、伸縮性インナーウエストベルト１のみを洗濯することも可能となる。そして、参考例１の伸縮性インナーウエストベルト１に伸縮性の素材として使用されたゴムベルト生地３は、耐久性に優れているので、長期間使用してもウエストラインの引き締め効果が低下することがない。
【００３６】
参考例１においては、伸縮性インナーウエストベルト１をウエストサイズ調節機構付ズボン１５に装着して使用した場合について説明したが、参考例１の伸縮性インナーウエストベルト１は、ウエストサイズ調節機構のない通常のズボンに装着してもその効果を発揮できる。即ち、ウエスト部分が引き締められてウエストラインが美しく保たれるとともに、伸縮性のゴムベルト生地３からなる伸縮性インナーウエストベルト１がズボンの裏側に密着しているために、ズボンのウエスト部分の生地も引き締められることになり、ズボンのベルト部の上からベルトをきつく締めてもベルト部の周りに皺、撚れ等が生じることがない。そして、ズボンのウエストラインと伸縮性インナーウエストベルト１のウエストラインがずれることがないので、かかる効果を確実に持続させられる。
【００３７】
更に、伸縮性インナーウエストベルト１をズボンに装着せずに、単独で着用することもできる。この場合でも、上にズボンを着用すれば、ウエスト部分が引き締められてウエストラインが美しく保たれるとともに、伸縮性のゴムベルト生地３からなる伸縮性インナーウエストベルト１がズボンの裏側に密着しているために、ズボンのウエスト部分の生地も引き締められることになり、ズボンのベルト部の上からベルトをきつく締めてもベルト部の周りに皺、撚れ等が生じることがない。但し、伸縮性インナーウエストベルト１を単独で着用する場合には、下に滑りやすい素材の下着等を着けていると伸縮性インナーウエストベルト１がずれてしまい効果が半減する。このような場合には、伸縮性インナーウエストベルト１の内面にシリコンゴム等の滑り止めゴムを取り付けることによって、ずれを防止することができる。
【００３８】
［参考例２］
次に、参考例２について、図５乃至図８を参照して説明する。
【００３９】
参考例２は、本発明の伸縮性インナーウエストベルトを主に婦人用パンツ（婦人用ズボン）に適用した場合を例示するものである。
【００４０】
図５（ａ）は参考例２にかかる伸縮性インナーウエストベルトの接続を外して伸ばした状態を示す全体正面図、（ｂ）は伸縮性インナーウエストベルトの両端を接続して着用状態としたときの正面から見た全体を示す斜視図、（ｃ）は着用状態としたときの背面のみを示す背面図である。図６は参考例２にかかる伸縮性インナーウエストベルトの製造工程を示す説明図である。図７は参考例２にかかる伸縮性インナーウエストベルトの前面部分の構造を裏から見て示す図である。図８は参考例２にかかる伸縮性インナーウエストベルトをパンツの裏側に装着した状態を示す斜視図である。
【００４１】
図５（ａ）に示されるように、参考例２の伸縮性インナーウエストベルト２１は、伸縮性の素材としての、少なくともウエスト部分の周方向に伸縮自在な生地２３を主体として構成されている。このような伸縮自在な生地（以下、「ストレッチ生地」という。）２３としては、例えば、ナイロントリコット、ナイロンフレンチパイル等がある。ストレッチ生地２３は、全部で５つの部分に分割されており、これらの５つの部分２３ａ，２３ｂ，２３ｃ，２３ｄ，２３ｅがそれぞれ接続されて伸縮性インナーウエストベルト２１を形成している。これらの４箇所の接続部分２５ａ，２５ｂ，２５ｃ，２５ｄはそれぞれ布テープでカバーされて、背面中心にあたる接続部分２５ｂ以外の布テープの中には型崩れを防ぐため支持部材としての金属製のコイルボーンが挿入されている。なお、接続方法の詳細については後述する。
【００４２】
また、伸縮性インナーウエストベルト２１の前面側にあたる部分２３ｅの表側のみには、全面に亘って伸縮性のレース生地（以下、「ストレッチレース」という。）２２が縫い付けられている。更に、部分２３ｅの中央部分の裏側にはもう１枚のストレッチ生地２３ｆが縫い付けられており、ストレッチ生地２３ｆの両側の縫い付け部分２５ｅ，２５ｆも布テープでカバーされていて、布テープの中には支持部材としてのコイルボーンが挿入されている。
【００４３】
接続されたストレッチ生地２３の左端の部分２３ａの表側の左端には、接着布２４の軟らかい側２４Ａが縫い付けられている。接着布２４の軟らかい側２４Ａは、縦の寸法が約１３ｃｍ、横の寸法が約５ｃｍである。一方、ストレッチ生地２３の右端の部分２３ｅの右端の裏側には、接着布２４の硬い側２４Ｂが縫い付けられている。接着布２４の硬い側２４Ｂは、縦の寸法が約１３ｃｍ、横の寸法が約２．５ｃｍである。したがって、この接着布２４の硬い側２４Ｂを約５ｃｍの横幅を有する接着布２４の軟らかい側２４Ａのどの部分に接着させて止めるかによって、伸縮性インナーウエストベルト２１の腰周り寸法が約５ｃｍの範囲で調節できることになる。
【００４４】
接続されたストレッチ生地２３の外周は、ニットパイピング２６によって包まれて形を整えられる。そして、伸縮性インナーウエストベルト２１の上端のニットパイピング２６には、パンツの裏側（内側）に接続するためのＺナップ７の凸側７Ａが、パンツの両脇に対応する２箇所に各２個ずつ取り付けられている。
【００４５】
接着布２４の硬い側２４Ｂを軟らかい側２４Ａに接着して、着用状態とした伸縮性インナーウエストベルト２１を正面から見たのが図５（ｂ）である。図５（ｂ）に示されるように、伸縮性インナーウエストベルト２１の両脇のみにＺナップ７の凸側７Ａが取り付けられていることによって、伸縮性インナーウエストベルト２１の前後がズボンの裏側に固定されないので、どんな体形の人にもフィットする。また、接着布２４が前面の脇部分に設けられていることによって、接着布２４による腰周り寸法の調節がより容易になる。更に、前面のストレッチ生地２３ｅ及びストレッチレース２２の下端中央部が下方へ伸びていることによって、下腹部をも引き締めることができる。
【００４６】
また、図５（ｃ）に示されるように、背面側のストレッチ生地２３の部分２３ａ，２３ｂ，２３ｃ，２３ｄのニットパイピング２６に包まれた下端部は、参考例１よりも大きく緩やかな波形のラインになっている。これは、参考例１のゴムベルト生地３よりもストレッチ生地２３の方が柔らかく伸びやすいため、細かい波形のラインを入れなくても大きく緩やかな波形のラインによって、人によって異なる腰の丸み及び腰周り寸法に対応することができ、あらゆる体形にフィットするからである。更に、ストレッチ生地２３の方が柔らかく伸びやすいため、ウエストラインを引き締めても締め付け痕が残らず、肌にやさしい伸縮性インナーウエストベルト２１となる。
【００４７】
次に、ストレッチ生地２３の各部分２３ａ，…，２３ｅの接続方法の詳細について、図６を参照して説明する。
【００４８】
図６に示されるように、まず、接続する２枚のストレッチ生地２３の端を合わせて、合わせ目２９で２枚のストレッチ生地２３を縫い合わせる。次に、縫い代２９ａを裏側で折り返して、その下側に布テープの１種であるサテンテープ２８を当てて、縫い代２９ａとサテンテープ２８の間にコイルボーン１１を挿入して、サテンテープ２８の両縁に沿ってステッチ縫い２８ａを施すことによって２枚のストレッチ生地２３にサテンテープ２８を縫い付ける。後は、前述の如く、ストレッチ生地２３の上下の縁をニットパイピング２６で包み込んで外形を整える。
【００４９】
このようにストレッチ生地２３を何枚かの部分に分けて、それらを接続することによって伸縮性インナーウエストベルト２１を構成すれば、背面側の下端部の波形のライン等を有する複雑な形状の伸縮性インナーウエストベルト２１も容易に製造することができる。そして、接続部分に上下方向に支持部材としてのコイルボーン１１を取り付けることによって、接続部分が上下方向に縮むのを防いで、伸縮性インナーウエストベルト２１を所定の形状に保つことができ、あらゆる体形の人に適用することができる。
【００５０】
次に、伸縮性インナーウエストベルト２１の前面部分２２，２３ｅ，２３ｆの接続方法の詳細について、図７を参照して説明する。図７は、伸縮性インナーウエストベルト２１の前面部分を裏側から見たところである。図７に示されるように、まず、ストレッチ生地２３ｅの表側に全面に亘ってストレッチレース２２が縫い付けられる。次に、ストレッチ生地２３ｅの裏側の中心部分に、ストレッチ生地２３ｅの約３分の１の幅を有するストレッチ生地２３ｆを載せて、両端にサテンテープ２８を当ててサテンテープ２８の両縁に沿ってステッチ縫い２８ａを施すことによって、２枚のストレッチ生地２３ｅ，２３ｆを２本のサテンテープ２８によって縫い付ける。そして、筒状になった２本のサテンテープ２８内にそれぞれコイルボーン１１を挿入する。このように伸縮性インナーウエストベルト２１の前面の中心部分が３重構造になっていることによって、柔らかく伸びやすいストレッチレース２２及びストレッチ生地２３ｅ，２３ｆを用いても、腹部全体をしっかりと引き締めることができる。
【００５１】
次に、このようにして製造された伸縮性インナーウエストベルト２１の実際の使用方法について、図８を参照して説明する。伸縮性インナーウエストベルト２１は、両脇に２個ずつ固定されたＺナップ７の凸側７Ａをウエストサイズ調節機構付パンツ（以下、単に「パンツ」ともいう。）３５のベルト部３６の裏側に固定されたＺナップ７の凹側７Ｂに嵌め込むことによって、パンツ３５の裏側（内側）に着脱可能に取り付けられる。この状態で、着用する人がパンツ３５をはいて、伸縮性インナーウエストベルト２１の接着布２４を好みの締め付け具合のところで止める。そして、伸縮性インナーウエストベルト２１によって引き締められたウエストサイズに合うように、ベルト部３６の表側に縫い付けられた３つのボタン３７のいずれかをボタンホール３８に掛止することによって、パンツ３５のウエストサイズを調節する。
【００５２】
このようにパンツ３５の下に伸縮性インナーウエストベルト２１を着用することによって、ウエスト部分が引き締められてウエストラインが美しく保たれる。そして、ウエストサイズ調節機構付パンツ３５においては、引き締められたウエストサイズに合わせてウエストサイズを縮めることができるので、パンツ３５が着用する人のウエストサイズにぴったりフィットし、ベルト部３６の周りに皺、撚れ等が全く生じることなく見栄えを良好に保つことができる。そして、パンツ３５のウエストラインと伸縮性インナーウエストベルト２１のウエストラインがずれることがないので、かかる効果を確実に持続させられる。また、前面にストレッチレース２２を縫い付けたことによって、伸縮性インナーウエストベルト２１の伸縮性を損なうことなく、伸縮性インナーウエストベルト２１にファッション性を持たせることができる。したがって、特に女性用の伸縮性インナーウエストベルトとして好適である。
【００５３】
このようにして、参考例２の伸縮性インナーウエストベルト２１においては、着用する人のウエストラインを美しく引き締めるとともに、パンツ３５のベルト部３６の上からベルトをきつく締めてもベルト部３６の周りに皺、撚れ等が全く生じることなく見栄えを良好に保つことができる。また、参考例２の伸縮性インナーウエストベルト２１を長期間継続して着用することによって、ウエストラインが継続的に引き締められるため、ウエストサイズを縮小する効果も期待できる。更に、Ｚナップ７によって伸縮性インナーウエストベルト２１をパンツ３５から着脱自在としたことによって、パンツ３５単独でも着用することができるとともに、伸縮性インナーウエストベルト２１のみを洗濯することも可能となる。そして、参考例２の伸縮性インナーウエストベルト２１に伸縮性の素材として使用されたストレッチ生地２３は、耐久性に優れているので、長期間使用してもウエストラインの引き締め効果が低下することがない。
【００５４】
参考例２においては、伸縮性インナーウエストベルト２１をウエストサイズ調節機構付パンツ３５に装着して使用した場合について説明したが、参考例２の伸縮性インナーウエストベルト２１は、ウエストサイズ調節機構のない通常のパンツに装着してもその効果を発揮できる。即ち、ウエスト部分が引き締められてウエストラインが美しく保たれるとともに、伸縮性のストレッチ生地２３からなる伸縮性インナーウエストベルト２１がパンツの裏側に密着しているために、パンツのウエスト部分の生地も引き締められることになり、パンツのベルト部の上からベルトをきつく締めてもベルト部の周りに皺、撚れ等が生じることがない。そして、パンツのウエストラインと伸縮性インナーウエストベルト２１のウエストラインがずれることがないので、かかる効果を確実に持続させられる。
【００５５】
更に、伸縮性インナーウエストベルト２１をパンツに装着せずに、単独で着用することもできる。この場合でも、上にパンツを着用すれば、ウエスト部分が引き締められてウエストラインが美しく保たれるとともに、伸縮性のストレッチ生地２３からなる伸縮性インナーウエストベルト２１がパンツの裏側に密着しているために、パンツのウエスト部分の生地も引き締められることになり、パンツのベルト部の上からベルトをきつく締めてもベルト部の周りに皺、撚れ等が生じることがない。但し、伸縮性インナーウエストベルト２１を単独で着用する場合には、下に滑りやすい素材の下着等を着けていると伸縮性インナーウエストベルト２１がずれてしまい効果が半減する。このような場合には、伸縮性インナーウエストベルト２１の内面にシリコンゴム等の滑り止めゴムを取り付けることによって、ずれを防止することができる。
【００５６】
［参考例３］
次に、参考例３について、図９及び図１０を参照して説明する。
【００５７】
参考例３も、本発明の伸縮性インナーウエストベルトを主に婦人用パンツ（婦人用ズボン）に適用した場合を例示するものである。
【００５８】
図９（ａ）は参考例３にかかる伸縮性インナーウエストベルトの参考例１タイプの接続方法を示す斜視図、（ｂ）は参考例３にかかる伸縮性インナーウエストベルトの参考例２タイプの接続方法を示す斜視図である。図１０は参考例３にかかる伸縮性インナーウエストベルトの接続方法のバリエーションを示す説明図である。
【００５９】
図９（ａ）に示されるように、参考例３の伸縮性インナーウエストベルトの参考例１タイプ（ゴムベルト生地タイプ）４０においては、本体のゴムベルト生地３の部分の構成については、参考例１の伸縮性インナーウエストベルト１とほぼ同様である。異なるのは、接続手段として接着布４ではなくドット釦４２を使用している点である。
【００６０】
即ち、上前３ｇの裏側の端に土台布としてのサテンテープ４１を縫付けて、その上に３個の凸側のドット釦４２ａを取り付け、下前３ａの表側の端にも土台布としての３本のサテンテープ４３を縫付け、それぞれの上に３個ずつの凹側のドット釦４２ｂを取り付けている。そして、ウエストサイズや好みの締め付け具合に応じて、３本のサテンテープ４３のうちいずれかのサテンテープ４３の凹側のドット釦４２ｂに凸側のドット釦４２ａを嵌め込むことによって上前３ｇと下前３ａを接続する。
【００６１】
このように接続を接着布４でなく、ドット釦４２で行う利点は、接着布によって貼ったり剥がしたりしていると、接着布の硬い側が衣服の別のところ（例えば、着用している下着等）にくっついてしまう。これによって、下着等の表面を毛羽立たせて台無しにしてしまうので好ましくない。これに対して、凹側と凸側のドット釦を複数用いて接続するようにすれば、かかる不具合の起こる恐れはない。
【００６２】
なお、ドット釦４２を取り付ける土台布としては、サテンテープ４１，４３に限られず、朱子テープ、接着芯、インサイドベルト等のその他の素材でも良い。また、土台布としてのサテンテープ４３を縦に３列に並べて縫付けているのは、着用したときにサテンテープ４３の間が伸びて体形に沿い易いためである。１枚のサテンテープに９個の凹側のドット釦４２ｂ全てを３列に並べて取り付けたのでは、ゴムベルト生地３の伸縮性が損なわれてしまう。更に、ドット釦４２ａ，４２ｂをサテンテープ４１，４３を介してゴムベルト生地３に取り付けるのは、補強のためである。即ち、伸縮性インナーウエストベルト４０を着用するときにゴムベルト生地３が引っ張られるのでその補強のためと、ドット釦４２ａ，４２ｂを嵌めたり外したりを繰り返すことによってゴムベルト生地３が裂けてしまわないようにするためである。
【００６３】
また、図９（ｂ）に示されるように、参考例３の伸縮性インナーウエストベルトの参考例２タイプ（ストレッチ生地タイプ）４５においては、本体のストレッチ生地２３の部分の構成については、参考例２の伸縮性インナーウエストベルト２１とほぼ同様である。異なるのは、接続手段として接着布２４ではなくドット釦４２を使用している点である。
【００６４】
即ち、上前２３ｅの裏側の端に土台布としてのサテンテープ４１を縫付けて、その上に４個の凸側のドット釦４２ａを取り付け、下前２３ａの表側の端にも土台布としての３本のサテンテープ４３を縫付け、それぞれの上に４個ずつの凹側のドット釦４２ｂを取り付けている。そして、ウエストサイズや好みの締め付け具合に応じて、３本のサテンテープ４３のうちいずれかのサテンテープ４３の凹側のドット釦４２ｂに凸側のドット釦４２ａを嵌め込むことによって上前３ｇと下前３ａを接続する。なお、４個の凸側のドット釦４２ａの上は、上に着用するズボン、スカート等にドット釦４２ａの形が当りで出ないようにするため、サテンテープで覆われている。
【００６５】
ここで、１本のサテンテープ４１，４３に４個ずつのドット釦４２ａ，４２ｂを取り付けているのは、ストレッチ生地２３はゴムベルト生地３に比べて柔らかいので、より多くのドット釦４２で接続しないと型崩れしてしまうからである。接着布の代わりにドット釦で接続する利点や、土台布としてのサテンテープを使用する理由については、ゴムベルト生地タイプ４０の場合と同じである。
【００６６】
図１０に示されるように、ベースとなる生地の種類やウエストサイズを何種類に変化させるかによって、凹側のドット釦４２ｂの縦の数及び凹側のドット釦４２ｂを取り付けるサテンテープ４３の本数は、適宜選択することができる。この伸縮性インナーウエストベルト４６では、サテンテープ４３の本数を５本にして、凹側のドット釦４２ｂを５列に取り付け、ウエストサイズを５段階に変えられるようにしている。更に、凸側のドット釦４２ａは常にサテンテープ４３に平行に嵌められるとは限らない。一番上のドット釦４２ａを１列目のＡの凹側のドット釦４２ｂに嵌め、２番目のドット釦４２ａを２列目のＢの凹側のドット釦４２ｂに嵌め、３番目のドット釦４２ａを２列目のＣの凹側のドット釦４２ｂに嵌め、一番下のドット釦４２ａを３列目のＤの凹側のドット釦４２ｂに嵌める、というように、着用者の体形に合わせて一部または全部が斜めになるように接続することができる。接続の仕方のバリエーションを一番上のドット釦４２ａを１列目のＡの凹側のドット釦４２ｂに嵌める場合の一部を例にとって示すと、
（１）  （１列Ａ）−（１列Ｂ）−（１列Ｃ）−（１列Ｄ）
（２）  （１列Ａ）−（１列Ｂ）−（２列Ｃ）−（２列Ｄ）
（３）  （１列Ａ）−（１列Ｂ）−（２列Ｃ）−（３列Ｄ）
（４）  （１列Ａ）−（２列Ｂ）−（３列Ｃ）−（３列Ｄ）
（５）  （１列Ａ）−（２列Ｂ）−（３列Ｃ）−（４列Ｄ）
（６）  （１列Ａ）−（２列Ｂ）−（２列Ｃ）−（２列Ｄ）
（７）  （１列Ａ）−（２列Ｂ）−（２列Ｃ）−（３列Ｄ）
以上のように、様々な嵌め方が可能である。勿論体形によっては、５列側から１列側へ斜めになる場合もある。このようにして、参考例３の伸縮性インナーウエストベルト４０，４５，４６においては、多種多様な体形に合わせて様々な嵌め方でドット釦４２による接続ができ、ウエスト締め付けの効果が更に向上する。
【００６７】
［参考例４］
次に、参考例４について、図１１乃至図２１を参照して説明する。
【００６８】
参考例４も、本発明の伸縮性インナーウエストベルトを主に婦人用パンツ（婦人用ズボン）に適用した場合を例示するものである。
【００６９】
図１１（ａ）は参考例４にかかる伸縮性インナーウエストベルトのオープンファスナーを閉じた状態を示す斜視図、（ｂ）はオープンファスナーを開いた状態を示す斜視図である。図１２（ａ）は参考例４にかかる伸縮性インナーウエストベルトのゴムベルト部分を示す部分拡大図、（ｂ）はベルト先端を通す開口部を示す部分拡大図、図１３は参考例４にかかる伸縮性インナーウエストベルトの第１変形例を示す図、図１４は参考例４にかかる伸縮性インナーウエストベルトの第２変形例を示す図、図１５は参考例４にかかる伸縮性インナーウエストベルトの第３変形例を示す図、図１６は参考例４にかかる伸縮性インナーウエストベルトの第４変形例を示す図、図１７は参考例４にかかる伸縮性インナーウエストベルトの第５変形例を示す図、図１８は参考例４にかかる伸縮性インナーウエストベルトの第６変形例を示す図、図１９は参考例４にかかる伸縮性インナーウエストベルトの第７変形例を示す図、図２０は参考例４にかかる伸縮性インナーウエストベルトの第８変形例を示す図、図２１は参考例４にかかる伸縮性インナーウエストベルトの第９変形例を示す図である。
【００７０】
図１１（ａ）に示されるように、参考例４の伸縮性インナーウエストベルト５０は本体５２がストレッチ生地で作られており、前面５３にはストレッチレースが用いられている。これらの接続部分５２ａの作製方法や中にコイルボーン５２ｂの入った構造、あるいは上下縁のパイピング構造５２ｃ等は参考例１，２と同様であるので説明を省略する。また、この伸縮性インナーウエストベルト５０は、上辺に複数個取り付けられたＺナップ５１で、パンツ（ズボン）のインナーに装着される点も同様である。
【００７１】
前面５３のストレッチレースは前中心でオープンファスナー５４によって接続されている。このオープンファスナー５４を開けると、内部には１対のゴムベルト５５ａ，５５ｂが取り付けられている。これら１対のゴムベルト５５ａ，５５ｂの端部は、本体５２と前面５３との接続部に縫付けられている。ゴムベルト５５ａ，５５ｂの先端部５６ａ，５６ｂは厚手の伸縮しない生地で作られており、先端部５６ｂには先端部５６ａを通す開口部５９が設けられている。そして、ゴムベルト５５ａ，５５ｂの先端近傍には、接着布の硬い側５７ａ，５７ｂが縫付けられており、先端部５６ａ，５６ｂの裏側には接着布の軟らかい側５８ａ，５８ｂが縫付けられている。
【００７２】
かかる構造を有する伸縮性インナーウエストベルト５０を着用する際には、先端部５６ａを開口部５９に通して、先端部５６ａ，５６ｂをそれぞれ左右の手で引っ張って、ゴムベルト５５ａ，５５ｂによる下腹部の締め付け具合を調節する。ここで、開口部５９が前中心にあるので締め付け具合の調節を体の真中で行うことができ、調節がやり易い。そして、適度な締め付け具合のところで先端部５６ａ，５６ｂの裏側の接着布の軟らかい側５８ａ，５８ｂをそれぞれ接着布の硬い側５７ａ，５７ｂに留める。それから、前面５３の上端にある１対のカギホック６０ａ，６０ｂをかけて、オープンファスナー５４を締める。これによって、下腹部の適度な締め付け効果が得られるとともに、ゴムベルト５５ａ，５５ｂが前面５３のストレッチレースで覆われて見栄えも良くなる。
【００７３】
前面５３にストレッチレースを用いたのは、装飾的効果と締め付け効果を考慮したものである。また、図１２（ａ），（ｂ）に示されるように、ゴムベルト５５ａ，５５ｂの先端部５６ａ，５６ｂを伸縮性のない素材で構成したのは、伸びる素材だと皺がよったり、よれが生じたり、浮き上ってくる等の不具合が生ずるので、かかる不具合を防止するためである。
【００７４】
かかる構造を有する伸縮性インナーウエストベルト５０には、様々な変形例が考えられる。以下に示す変形例においては、本体５２のストレッチ生地５２は図示省略されている。更に、前面５３のストレッチレースも図示省略される場合がある。
【００７５】
図１３に示されるのは、内部のゴムベルトを上下２段６１，６２にしたものである。図１４に示されるのは、ゴムベルトを上・中・下の３段６３，６４，６５にしたものである。このように、ゴムベルトを複数設けることによって、より体形にフィットした締め付けを行うことができる。
【００７６】
図１５に示されるのは、２段のゴムベルト６６，６７を上から覆うものとして、図１１のオープンファスナー付きストレッチレース５３の代わりに１対の流線形の布６８を取り付け、一方の布６８の先端裏側に接着布の硬い側６８ａを縫付けて、この接着布の硬い側６８ａをもう一方の布６８に貼り付けて、図１５（ａ）に示されるように覆うものである。
【００７７】
図１６に示されるのは、２段のゴムベルト６６，６７を上から覆うものとして、開口部７１を有する流線形の布６８Ａとその開口部７１に先端が通される流線形の布６８Ｂを用いたものである。これら１対の流線形の布６８Ａ，６８Ｂには表面に接着布の硬い側６９ａ，６９ｂがそれぞれ縫付けられており、一方先端の裏側には接着布の軟らかい側７０ａ，７０ｂが縫付けられている。そして、１対のゴムベルトを留める場合と同じように、流線形の布６８Ａの開口部７１に流線形の布６８Ｂの先端を通して、それぞれの先端を左右の手で引っ張って締め付け具合を調節し、適度な締め付け具合のところで接着布の軟らかい側７０ａ，７０ｂを接着布の硬い側６９ａ，６９ｂに貼り付けて留める。この変形例においては、下腹部を２重に締め付けることになるので、より強力な締め付け効果が得られる。
【００７８】
図１７においては、２段のゴムベルト６６，６７を上から覆うものとして、左右１対の布５３ａ，５３ｂとこれらを接続するオープンファスナー５４を用いたものである。したがって、左右１対の布５３ａ，５３ｂとしてストレッチレースを用いれば、閉じたときの外見は図１１（ａ）と同様になる。
【００７９】
図１８においては、図１７と同様に左右１対の布５３ａ，５３ｂをオープンファスナー５４で接続する構造の上から、更に１対の流線形の布６８Ａ，６８Ｂを被せたものである。一方の布６８Ｂには他方の布６８Ａの先端を通す開口部７２が設けられており、布６８Ａ，６８Ｂの先端の裏側には接着布の硬い側７３ａ，７３ｂが縫付けられている。そして、図示の如く布６８Ａの先端を開口部７２に通して、接着布の硬い側７３ａ，７３ｂをそれぞれ布６８Ａ，６８Ｂの表面に貼り付けて留める。
【００８０】
図１９においては、図１３の応用としてゴムベルト６１がゴムベルト６２の上に重なっている。また、図２０においては、図１８と同様の構造を２段にしている。この構造においては、２段になった流線形の布７４Ａ，７４Ｂと７５Ａ，７５Ｂとが図のように重なる場合と重ならない場合とがある。また、図２１においては、１対の布５３ａ，５３ｂを前中心で重ねて接着布７６で留めている。
【００８１】
以上、図１１から図２１について説明したように、伸縮性インナーウエストベルト５０の前面の構造には、ゴムベルトを複数にしたり、ゴムベルトを覆う布としてストレッチレース以外の素材を用いたり形状を変化させたり、オープンファスナーで接続する布を下に持ってきたり、様々なバリエーションが可能である。また、前面の開きを閉じる方法としても、オープンファスナー、接着布、ドット釦、カギホック等種々の方法を用いることができる。
【００８２】
次に、開口部の作製方法のバリエーションについて、図２２を参照して説明する。
【００８３】
図２２（ａ）〜（ｈ）はゴムベルトの先端や布の先端を通す開口部の作製方法のバリエーションを示す部分拡大図である。
【００８４】
図２２（ａ）に示されるのは、ゴムベルトにボタンホールを設ける方法である。図２２（ｂ）に示されるのは、ゴムベルトに補強布を当ててボタンホールを設ける方法である。図２２（ｃ）に示されるのは、２つのゴムベルトの端を接近させて上下に朱子テープ等を橋渡しで縫付ける方法である。この方法では、開口部の幅を自由に調節できると言う利点がある。図２２（ｄ）に示されるのは、２つのゴムベルトの端を接近させてそれぞれの端を折り曲げて縫付け、中にスピンドルを通して接続することによって開口部を設けたものである。図２２（ｅ）に示されるのは、スピンドルの代わりに角カンを通したものである。その他にも、紐、テープ、テグス等を通しても良い。図２２（ｆ）に示されるのは、２つのゴムテープの端を重ねて上下を返し縫いし、ゴムベルトの端はパイピング始末したものである。図２２（ｇ）に示されるのは、三角返し縫いの拡大図である。また、図２２（ｈ）に示されるように、開口部の向きはゴムベルトに対して垂直とは限られず、斜めに設けられ様々に変化する。
【００８５】
このように、開口部の作製方法には多種多様の方法があり、これらは図１６，図１８，図２０に示されるような、布に開口部を設ける場合についても応用が可能である。
【００８６】
［実施の形態１］
次に、本発明の実施の形態１について、図２３乃至図２５を参照して説明する。
【００８７】
本発明の実施の形態１は、本発明の伸縮性インナーウエストベルトを主に婦人用パンツ（婦人用ズボン）に適用した場合を例示するものである。
【００８８】
図２３（ａ）は本発明の実施の形態１にかかる伸縮性インナーウエストベルトの全体を正面から見た斜視図、（ｂ）は背面図である。図２４は生地を重ねた部分を示す部分拡大図である。図２５は股上の縫付け方法を示す部分拡大図である。
【００８９】
図２３に示されるように、本実施の形態１の伸縮性インナーウエストベルト７７は、インナー用のニット（補正下着などに使う素材）でガードルを作り、ズボン（パンツ）にＺナップ７Ａで装着する。斜線部分７７Ｂは、引き締め効果を得るために２重（ニット生地を二枚重ね）にする。前中心部分７７Ｃは、上記に加え更に腹部を引き締めるために三枚重ねとする。腹まわりからお尻、後ろ太もものあたり等、弛んだ部分あるいは出っ張った部分を、生地を重ねることにより強力に締める。図２４に示されるように、このように二重、三重に重ねた切り替え布の縫い始末は、裁ち切りでジグザグ縫いとする。また、ガードルの裾の縫い始末は、裁ち切りで、１．５ｃｍくらい中に入ったところをジグザグ縫いする。更に、図２５に示されるように、股上７７Ｄは、中縫い（地縫い）して、縫い代を割って、縫い目のところをジグザグ縫いする。カーブのきついところは、４コールから６コールくらいのコールゴム７８をジグザグ縫いで縫付ける。
【００９０】
この実施の形態１は、ズボン、スカート等の衣服のウエスト部分に接続したインナー用のニット生地からなる伸縮性の素材７７Ａで作られたガードル形の伸縮性インナーウエストベルト７７において、裁ち切りしたニット生地からなる伸縮性の素材７７Ｂ，７７Ｃを部分的に２枚または３枚重ね、それをジグザグ縫いし、かつ、少なくとも伸縮性インナーウエストベルト７７の背面から見た前記伸縮性の素材７７Ｂの重ね縫い箇所は、図２３の（ｂ）の伸縮性の素材７７Ｂに示すように、伸縮性インナーウエストベルト７７の縦方向の中央から両脇に向かってウエスト部分側に上昇するようにした箇所を有するから、着用する人のウエスト部分の弛んだ部分あるいは出っ張った部分を引き締めることができる。
【００９１】
したがって、着用する人のウエストラインを美しく引き締めるとともに衣服のベルト部の上からベルトをきつく締めてもベルト部の周りに皺、撚れ等が生じることなく見栄えを良好に保つことができる。特に、本発明者の発明にかかる上述のウエストサイズ調節機構付衣服においては、引き締められたウエストサイズに合わせて衣服のウエストサイズを縮めることができるので、ベルト部の周りに皺、撚れ等が生じることなく見栄えを良好に保つことができる。更に、長期間継続して着用することによって、ウエストサイズを縮小させる効果も期待できる。
【００９２】
このようにして、本実施の形態１の伸縮性インナーウエストベルト７７は、弛んだ部分あるいは出っ張った部分を、ニット生地を二重、三重に重ねることによって強力に締めるので、腹部の充分な引き締め効果が得られる。
【００９３】
［参考例５］
次に、参考例５について、図２６乃至図３０を参照して説明する。
【００９４】
参考例５も、本発明の伸縮性インナーウエストベルトを主に婦人用パンツ（婦人用ズボン）に適用した場合を例示するものである。
【００９５】
図２６（ａ）は参考例５にかかる伸縮性インナーウエストベルト専用のズボンを背面から見た斜視図、（ｂ）は参考例５にかかる伸縮性インナーウエストベルトを背面から見た斜視図である。図２７は参考例５にかかる伸縮性インナーウエストベルトを改良したものを示す正面図である。図２８は参考例５にかかる伸縮性インナーウエストベルトを改良したものを示す部分拡大図である。図２９は参考例５にかかる伸縮性インナーウエストベルトを更に改良したものを示す部分拡大図である。図３０は参考例５にかかる伸縮性インナーウエストベルトを別の方法で改良したものを示す部分拡大図である。
【００９６】
伸縮性インナーウエストベルトの明きがズボンと共通（前ファスナー明き）していると、着脱のときに楽でスムースである。ズボンの明きと伸縮性インナーウエストベルトの明きが別々であると、着用時に（１）ズボンを穿く、（２）ウエストベルトを締める、（３）ズボンのベルト部分をカギホック、ボタン等で留める、（４）ズボンのファスナーを上げる、の四つの工程を踏まなければ着用できないが、伸縮性インナーウエストベルトの明きがズボンの明きと共通していると、（２）の工程が省略できるので着脱が容易になる。
【００９７】
図２６（ｂ）に示されるように、かかる伸縮性インナーウエストベルトの具体例としてのゴムベルト８１は、全体構造は参考例１の伸縮性インナーウエストベルト１とほぼ同様で、異なるのは前明きになっていてその明きに沿って接着布の硬い側８２が縫付けられている点である。かかるゴムベルト８１をズボン８０に装着するには、ウエスト周りはＺナップ７Ａでズボン８０のＺナップ７Ｂに留められて、前明きの部分はズボン８０のファスナーテープ８３に平行に縫付けられた接着布の軟らかい側８４にゴムベルト８１の接着布の硬い側８２が貼り付けられて留められる。
【００９８】
なお、ゴムベルト８１の前明き部分をズボン８０のファスナー部分に着脱可能に取り付ける方法としては、接着布以外にもオープンファスナー、ドット釦、Ｚナップ等様々な方法を用いることができる。
【００９９】
このように着脱が容易になる反面、図２６（ａ）に矢印で示されるように、腹圧及びゴムベルト８１の引き締めによってズボン８０のファスナーを開こうとする力が働くため、ファスナーが上げづらくなる。そこで、この問題点を解消するためにズボン８０及びゴムベルト８１に改良を加える。
【０１００】
第１の方法としては、ズボン８０の前明きファスナーを変える方法がある。即ち、オープンファスナーにして上下逆に付け、上から下へファスナーを閉じる。
【０１０１】
第２の方法としては、図２７に示されるように、ズボン８０の両脇の縫い目に上から下へコンシールファスナー８５を取り付ける。そして、前中心から更に下腹引き締めゴム８６を付け足し、両脇に向かって引っ張る。ここで、下腹引き締めゴム８６としては、裏面が接着布の軟らかい側になっているＭ−７０という素材を用いる。そして、図２８に示されるように、両脇のコンシールファスナー明きから覗くところに接着布の硬い側８７を縫付けておいて、下腹引き締めゴム８６の裏面の接着布の軟らかい側を貼り付けて、更に下腹を引き締める。
【０１０２】
着用手順としては、（１）ズボン８０を穿く、（２）ズボン８０のベルト部分（カギホック、ボタン等）を留める、（３）前明きファスナーを上げる、（４）両脇のコンシールファスナー明きから手を入れ、下腹引き締めゴム８６を引っ張り、接着布８７に留める、（５）両脇のコンシールファスナー８５を上から下へ下げて閉める。なお、急ぐときには、両脇のコンシールファスナー８５だけを開けて、下腹引き締めゴム８６の調節なしでも着用できる（着たらコンシールファスナー８５を閉める）。なお、コンシールファスナー８５の付け方は、ファスナーの明き方向が上から下へ下げる付け方と、下から上へ上げる付け方とがある。
【０１０３】
ここで、図２９（ａ）に示されるように、下腹引き締めゴム８６を強力に引っ張ると、ゴムベルト８１本体のゴムが撚れてくるので、図２９（ｂ）に示されるように、ゴムベルト８１の接続部分（切り替え部分）８１ａにスリット８１ｂを入れる。すると、図２９（ｃ）に示されるように、ゴムが撚れることなくスリット８１ｂで自由に重なってすっきりする。
【０１０４】
また、図３０（ａ）に示されるように、ズボン８０の前中心側の接着布をオープンファスナー８８に変えることも可能である。左側のゴムベルトに縫付けられたファスナーテープ８８ａとズボン８０の前中心よりに縫付けられたファスナーテープ８８ｂからなるオープンファスナー８８と、ズボン８０の前中心よりに縫付けられたファスナーテープ８８ｃと右側のゴムベルトに縫付けられたファスナーテープ８８ｄからなるオープンファスナー８８の２組のオープンファスナーを使用する。これによって、ゴムベルト８１は、ズボン８０に着脱可能に取り付けることができ、図３０（ｂ）に示されるように、ゴムベルト８１のみで着用するときには、２組のオープンファスナー８８を外して、ゴムベルト８１に縫付けられた同士８８ａ，８８ｄでファスナーをかうことができる。
【０１０５】
［参考例６］
次に、参考例６について、図３１乃至図３３を参照して説明する。図３１は参考例６にかかる伸縮性インナーウエストベルトを前から見た正面図である。図３２は参考例６にかかる伸縮性インナーウエストベルトの変形例を前から見た正面図である。図３３（ａ）は参考例６にかかる伸縮性インナーウエストベルトの他の変形例を前から見た正面図、（ｂ）は羽根部分だけを取り外した状態を示す正面図、（ｃ）はズボンに羽根部分を取り付けた状態を示す部分拡大図である。
【０１０６】
図３１に示されるように、参考例６の伸縮性インナーウエストベルト９０は、本体９１がインナー用のニット素材で作られており、参考例５のゴムベルト８１と同様に前明きになっていて、前明き部分はオープンファスナー９２で閉められる。この伸縮性インナーウエストベルト９０も、Ｚナップ７Ａでズボンに装着される。そして、オープンファスナー９２の両脇には、それぞれＭ−７０ゴム素材からなる下腹引き締めゴム（以下、「羽根」ともいう。）８６が縫付けられている。この羽根８６は、参考例５と同様に両脇に向かって引っ張り、本体９１の脇部分に縫付けられている接着布の硬い側９３にＭ−７０素材の裏側の接着布の軟らかい側を貼り付ける。これによって、下腹がより強力に締め付けられる。したがって、両脇から手を入れて羽根８６を引っ張る必要があるので、この伸縮性インナーウエストベルト９０は、図２７，図２８に示されるような両脇がコンシールファスナー８５で開閉自在なズボンに適用される。
【０１０７】
図３２に示される伸縮性インナーウエストベルト９４は、この伸縮性インナーウエストベルト９０の変形例で、本体の両脇部分９１ａがＭ−７０素材で作られている。そして、羽根８６の先端裏側に接着布の硬い側９３が縫付けられている。したがって、羽根８６の先端は両脇部分９１ａのどこにでも貼り付けることができる。なお、羽根８６を使用しないとき等は、接着布の硬い側９３を折り曲げて羽根８６の裏側に貼り付けておけば、接着布の硬い側９３が下着等の他の部分にくっついたりしないので都合が良い。
【０１０８】
図３３（ａ）に示される伸縮性インナーウエストベルト９５は、この伸縮性インナーウエストベルト９４の更に変形例で、本体の両脇部分９１ａは同様にＭ−７０素材で作られている。そして、羽根８６がそれぞれオープンファスナー９６で本体９１に着脱可能に取り付けられている。したがって、羽根８６を用いないときには外すことができるし、また図３３（ｂ）に示されるように羽根８６同士をファスナー９６で接続して、羽根８６単独で用いることもできる。この場合には、本体９１に縫付けられていないので、自由に動かすことができ、腹部にぴったりフィットする。更に、図３３（ｃ）に示されるように、もう一組の羽根８６をズボン８０の前中心８０ａの縫い代にオープンファスナーで取り付けることも可能である。
【０１０９】
このように、前明きにした伸縮性インナーウエストベルト９０，９４，９５は、着用がし易いという利点がある。
【０１１０】
［参考例７］
次に、参考例７について、図３４乃至図４０を参照して説明する。図３４（ａ）は参考例７にかかる伸縮性インナーウエストベルトを前から見た正面図、（ｂ）はズボンに羽根を取り付けた状態を示す部分拡大図である。図３５は参考例７にかかる伸縮性インナーウエストベルトの第１の変形例を前から見た正面図である。図３６は参考例７にかかる伸縮性インナーウエストベルトの第２の変形例を前から見た正面図である。図３７は参考例７にかかる伸縮性インナーウエストベルトの第３の変形例を前から見た正面図である。図３８は参考例７にかかる伸縮性インナーウエストベルトの第４の変形例を前から見た正面図である。図３９は参考例７にかかる伸縮性インナーウエストベルトの第５の変形例を前から見た正面図である。図４０（ａ）は羽根部分を両脇に向けて引っ張る構造の模式図、（ｂ）は羽根部分を一方の脇から他方の脇へ向けて引っ張る構造の模式図である。
【０１１１】
図３４（ａ）に示されるように、参考例７の伸縮性インナーウエストベルト９７も、本体９１はインナー用のニット素材で、両脇部分９１ａはＭ−７０ゴム素材で作られている。
【０１１２】
以下に説明する伸縮性インナーウエストベルトは、全て脇明きズボン用のもので、参考例７の伸縮性インナーウエストベルト９７も、左脇においてオープンファスナー９２で接続される。そして、図３４（ｂ）に示されるように、ズボン８０の前中心８０ａの縫い代に１対の羽根８６をオープンファスナー９６で取り付ける。これによって、羽根８６を引っ張って先端の接着布の硬い側９３を伸縮性インナーウエストベルト９７のＭ−７０の部分９１ａに貼り付けることができる。また、羽根８６のオープンファスナー９６を外してズボン８０から取り外し、羽根８６同士をオープンファスナー９６で合わせて、伸縮性インナーウエストベルト９７の上から用いることもできる。
【０１１３】
図３５に示される伸縮性インナーウエストベルト９８は、羽根８６同士をオープンファスナー９６で合わせて、本体９１とも両脇のオープンファスナー９６で着脱可能にしたものである。
【０１１４】
図３６に示される伸縮性インナーウエストベルト９９は、羽根８６を本体９１の前中心９１ｂの縫い目で一緒に縫付けたものである。本体９１はインナー用のニット素材で、両脇部分９１ａはＭ−７０素材で作られている。羽根８６の先端裏側には接着布の硬い側９３が縫付けられており、両脇部分９１ａの任意の箇所に貼り付けることができる。
【０１１５】
図３７に示される伸縮性インナーウエストベルト１００は、本体９１も両脇部分９１ａもともにＭ−７０素材で作られている。羽根８６は本体９１とは別体になっていて、１対の羽根８６がオープンファスナー９６で接続されている。したがって、１対の羽根８６は自由に動かすことができ、全てＭ−７０素材で作られている本体９１、両脇部分９１ａの任意の部分に接着布の硬い側９３で貼り付けることができる。
【０１１６】
図３８に示される伸縮性インナーウエストベルト１０１は、基本的な構造は図３６に示される伸縮性インナーウエストベルト９９と同じである。異なるのは、本体９１と両脇部分９１ａとの接続部分にスリット１０２を設けている点である。これによって、羽根８６を引っ張ったときに本体９１の皺を逃がすことができる。また、着用者によって異なる様々な腹部の丸み、サイズに対応することができる。
【０１１７】
図３９に示される伸縮性インナーウエストベルト１０３は、基本的な構造は図３８に示される伸縮性インナーウエストベルト９９と同じである。即ち、本体９１と両脇部分９１ａとの接続部分にスリット１０２を設けている。異なるのは、本体９１の前中心の裏側で１対の羽根８６を縫い付けて、スリット１０２から羽根８６の先端を表側に出している点である。
【０１１８】
更に、これらとは別に羽根８６が本体９１に縫われていないで独立分離していて、かつ本体９１と両脇部分９１ａとの接続部分にスリット１０２が設けられていても良い。また、羽根８６が取り外しが可能なように本体９１にオープンファスナーで取り付けられていても良い。
【０１１９】
次に、これらの脇明きの伸縮性インナーウエストベルトを取り付けるズボンの構造について、図４０を参照して説明する。
【０１２０】
図４０（ａ）に示されるように、羽根８６が本体中心９１ｂに取り付けられ、中心から脇側へ左右に引っ張られることによって下腹部を引き締める構造の場合には、ズボンの明きのない側の脇にコンシールファスナーで明き口を設けて、ズボンの中に両脇の明きから手を入れて羽根８６を左右に引っ張れば、より強力に下腹部を引き締めることができる。
【０１２１】
また、図４０（ｂ）に示されるように、長い羽根８６が明きのない方の脇９１ｃに取り付けられて、反対側の脇へ引っ張ることによって下腹部を引き締める構造の場合には、ズボンの脇ファスナーを開けて手を入れて長い羽根８６を引っ張れば下腹部が引き締められる。
【０１２２】
次に、伸縮性インナーウエストベルトを取り付けるスカートの場合は、スカートの明きが前明き、脇明き、後ろ明きの３種類ある。それぞれの場合、伸縮性インナーウエストベルトの明きも同じところにして、オープンファスナーを付ける。スカートと伸縮性インナーウエストベルトとは、ウエスト部分（Ｚナップ）及び明き口（オープンファスナー）で接続されている。スカートを着用してから羽根を引き締めるときは、スカートを捲って羽根を引っ張れば良い。なお、スカートと伸縮性インナーウエストベルトとは、ウエスト部分（Ｚナップ）または明き口（オープンファスナー）のどちらか、あるいは両方ともに、接続されていない場合もある。
【０１２３】
更に、図４０（ａ）で説明したコンシールファスナーを設ける方法の他に、ズボンの左右にポケット明き（見せかけのポケット）を作り、そこから手を入れて羽根８６を両手で引っ張るという方法もある。
【０１２４】
［参考例８］
次に、参考例８について、図４１及び図４２を参照して説明する。
【０１２５】
図４１（ａ）は参考例８にかかる伸縮性インナーウエストベルトを前から見た正面図、（ｂ）は裏面図、（ｃ）は背面図である。図４２は参考例８にかかる伸縮性インナーウエストベルトの変形例を前から見た正面図である。
【０１２６】
図４１（ａ）に示されるように、参考例８の伸縮性インナーウエストベルト１０４も、脇明きズボン用のものであり、脇オープンファスナー９２が取り付けられている。両脇部分９１ａはＭ−７０素材で、前面はストレッチ生地２３の上に装飾用としてストレッチレース２２を縫い合わせて作られている。これらの縫い合わせ部分には、コイルボーン１１が入れられている。羽根８６はそれぞれ前面２２と両脇部分９１ａの接続部分に縫付けられている。また、図４１（ｂ）に示されるように、ストレッチ生地２３の上から伸縮性を強化するために２本の３ｃｍ幅のゴム１０５をＸ形にして縫付けている。なお、２本のゴム１０５の下の縫付け部分１０２はスリットになっていて、この部分は前面２２と両脇部分９１ａが接続されていない。また、図４１（ｃ）に示されるように、背面部分はニット生地１０６で作られている。
【０１２７】
かかる構造の伸縮性インナーウエストベルト１０４においては、羽根８６を引っ張って先端裏側の接着布の硬い側９３を両脇部分９１ａに貼り付けることと、３ｃｍ幅のゴム１０５がＸ形に縫付けられていることによって、下腹部がより強力に引き締められる。また、ストレッチレース２２を用いることによって装飾効果がある。
【０１２８】
図４２に示される伸縮性インナーウエストベルト１０７は、この伸縮性インナーウエストベルト１０４の変形例である。前面にはストレッチレース２２の代わりに５角形のレザー生地１０８を用いて、装飾効果を出すとともに前面を強化している。このレザー生地１０８のようなしっかりした生地の方が下腹部の引き締め効果がより向上する。
【０１２９】
［参考例９］
次に、参考例９について、図４３を参照して説明する。
【０１３０】
図４３（ａ）は参考例９にかかる伸縮性インナーウエストベルトの背面図、（ｂ）は正面図である。
【０１３１】
図４３（ａ）に示されるように、参考例９の伸縮性インナーウエストベルト１１０は、背面１１１の後ろ中心１１１ａに羽根８６が縫付けられている。そして、図４３（ｂ）に示されるように、前面９１はインナー用のニット素材で作られており、両脇部分９１ａはＭ−７０ゴム素材で作られている。この伸縮性インナーウエストベルト１１０をＺナップ７Ａでズボンに装着し、羽根８６を後ろから前に引っ張って接着布の硬い側９３を貼り付けて留めると、腰部分が引き締められて、腰痛予防に効果的である。更に、羽根８６を締めると腹部も引っ張られて引き締められるので、二重の効果が得られる。
【０１３２】
上記実施の形態及び参考例においては、本発明の伸縮性インナーウエストベルトを紳士用ズボン及び婦人用パンツに適用した場合について説明したが、本発明の伸縮性インナーウエストベルトは衣服全般について適用できるものであり、Ｇパン、スカート、ワンピース等にも適用することができる。これらの衣服の場合でも、伸縮性インナーウエストベルトを衣服の裏側にＺナップ等で装着しても良いし、伸縮性インナーウエストベルトを単独で着用してその上に種々の衣服を着用しても良い。
【０１３３】
また、上記参考例においては、前側の脇部分において接着布あるいはドット釦等によって外周長さ調節可能に接続されている伸縮性インナーウエストベルトについて説明したが、本発明を実施する場合には、このように着脱可能に接続されているものに限られず、最初から外周長さを固定して全周を縫い付けてしまっても良い。このように外周長さを固定した伸縮性インナーウエストベルトであっても、伸縮性があるので幾通りかの外周長さのものを用意しておけば、誰でも自分のウエストサイズに合ったものを着用することができる。
【０１３４】
更に、上記参考例においては、伸縮性の素材としてのゴムベルト生地３及びストレッチ生地２３を何枚かの部分に分けて、各部分を接続してなる伸縮性インナーウエストベルトについて説明したが、本発明を実施する場合には、１枚のゴムベルト生地３またはストレッチ生地２３からなる伸縮性インナーウエストベルトとすることもできる。この場合にも、要所ごとにコイルボーン等の支持部材を取り付けることによって、型崩れを防ぐことができる。
【０１３５】
また、上記参考例２においては、伸縮性インナーウエストベルト２１の前面に伸縮性のレース生地（ストレッチレース２２）を縫い付けた例について説明したが、本発明を実施する場合には、伸縮性インナーウエストベルト２１の全周に亘ってストレッチレース２２を縫い付けても良い。更に、上記参考例１の伸縮性インナーウエストベルト１にストレッチレース２２を縫い付けて、婦人用として使用することもできる。
【０１３６】
伸縮性インナーウエストベルトのその他の部分の構造、形状、数量、材質、大きさ、接続関係等についても、本発明を実施する場合には、上記実施の形態及び参考例に限定されるものではない。
【０１３７】
上記実施の形態及び参考例における伸縮性の素材は、前記ウエスト部分の周方向に伸びて略平行に並べられた複数のゴムテープを含むものであるから、ウエスト部分の周方向に伸縮自在であり、着用する人のウエスト周りを強力に引き締めてウエストラインを美しくすることができる。また、衣服の裏側に密着することによって衣服のウエスト部分の生地も強力に引き締められることになり、衣服のベルト部の上からベルトをきつく締めてもベルト部の周りに皺、撚れ等が生じることがない。更に、長期間継続して着用したときのウエストサイズ縮小の効果もより顕著に得られることになる。
【０１３８】
このようにして、着用する人のウエストラインをより強力に引き締めるとともに衣服のベルト部の上からベルトをきつく締めてもベルト部の周りに皺、撚れ等が生じることなく見栄えを良好に保つことができ、また長期間継続して着用したときのウエストサイズ縮小の効果もより顕著に得られる伸縮性インナーウエストベルトとなる。
【０１３９】
また、上記実施の形態及び参考例における伸縮性の素材は、少なくとも前記ウエスト部分の周方向に伸縮自在な生地であるから、ウエスト部分の周方向に伸縮自在であり、着用する人のウエスト周りをソフトに引き締めてウエストラインを美しくすることができる。また、衣服の裏側に密着することによって衣服のウエスト部分の生地も引き締められることになり、衣服のベルト部の上からベルトをきつく締めてもベルト部の周りに皺、撚れ等が生じることがない。このようにして、着用する人のウエストラインをソフトに引き締めるとともに衣服のベルト部の上からベルトをきつく締めてもベルト部の周りに皺、撚れ等が生じることなく見栄えを良好に保つことができる伸縮性インナーウエストベルトとなる。
【０１４０】
上記参考例における伸縮性インナーウエストベルトは、前記ウエスト部分の１箇所において外周長さ調節可能に接続されているものであるから、一周つながっているベルトよりも着脱が容易であり、また外周長さ調節が可能であることから締め付け強さも自在に調節できる。これによって、着用する人のウエスト周りを任意の強さで引き締めてウエストラインを美しくすることができる。また、衣服の裏側に密着することによって衣服のウエスト部分の生地も任意の強さで引き締められることになり、衣服のベルト部の上からベルトをきつく締めてもベルト部の周りに皺、撚れ等が生じることがない。このようにして、着脱が容易で、着用する人のウエストラインを任意の強さで引き締めるとともに衣服のベルト部の上からベルトをきつく締めてもベルト部の周りに皺、撚れ等が生じることなく見栄えを良好に保つことができる伸縮性インナーウエストベルトとなる。
【０１４１】
上記参考例における伸縮性インナーウエストベルトの接続は接着布によるものである。したがって、接続構造としては伸縮性インナーウエストベルトの一方の端に接着布の硬い側を、他方の端に接着布の軟らかい側を取り付けるだけでよく、簡単で安価なものとなり、伸縮性インナーウエストベルトを低コスト化することができる。また、本発明を実施する場合には、接着布の硬い側を軟らかい側のどこに密着させるかによって、外周長さ、即ち、締め付け強さが調節できるので調節が容易であり、着用しながら締め付け強さを調節することができる。このようにして、着脱が容易でかつ低コスト化ができ、着用する人のウエストラインを任意の強さで引き締めるとともに衣服のベルト部の上からベルトをきつく締めてもベルト部の周りに皺、撚れ等が生じることなく見栄えを良好に保つことができる伸縮性インナーウエストベルトとなる。
【０１４２】
上記参考例における伸縮性インナーウエストベルトの接続は、複数のドット釦によるものである。したがって、接続を接着布でなく、ドット釦で行う利点は、接着布によって貼ったり剥がしたりしていると、接着布の硬い側が衣服の別のところ（例えば、着用している下着等）にくっついてしまう。これによって、下着等の表面を毛羽立たせて台無しにしてしまうので好ましくない。これに対して、凹と凸のドット釦を複数用いて接続するようにすれば、かかる不具合の起こる恐れはない。このようにして、接着布によって着用している衣服を台無しにしてしまうことがない伸縮性インナーウエストベルトとなる。
【０１４３】
上記参考例における伸縮性インナーウエストベルトは、複数のドット釦のうち凹側のドット釦は土台布に縦に数個取り付けられたものが横に数列取り付けられているものである。したがって、凸側のドット釦は上前の裏側に縦に数個取り付けられ、凹側のドット釦は下前の表側に縦に同数取り付けられて、凸側のドット釦が凹側のドット釦に嵌め込まれて接続される。ここで、凹側のドット釦を横方向に何列か並べておけば、凸側のドット釦をどの列の凹側のドット釦に嵌め込むかによって、ウエスト部分の締め付け具合を調節することができる。しかし、複数列の凹側のドット釦を横方向に連続した土台布に取り付けたのでは、伸縮性インナーウエストベルトの伸縮性が損なわれてしまう。そこで、本発明を実施する場合には、凹側のドット釦は土台布に縦に数個取り付けたものを横に数列取り付ける。このように取り付けることによって、横方向の伸縮性を損なうことなく、ウエスト部分の締め付け具合を調節することができる。ここで、土台布としては、接着芯、インベル、サテンテープ等が用いられる。
【０１４４】
上記参考例における伸縮性インナーウエストベルトは、前記ウエスト部分の前面側は下方に伸びており、前記ウエスト部分の背面側は下端部が波形のラインとなっているものである。このようにウエスト部分の前面側が下方に伸びていることによって、下腹部をも引き締めることができるので、全体としてウエストラインをより美しく引き締めることができる。また、背面側の下端部が波形のラインとなっていることによって、人によって異なる腰の丸み及び腰周り寸法に対応することができ、あらゆる体形にフィットするものとなる。このようにして、あらゆる体形の人に適用することができ、着用する人のウエストラインを美しく引き締めるとともに衣服のベルト部の上からベルトをきつく締めてもベルト部の周りに皺、撚れ等が生じることなく見栄えを良好に保つことができる伸縮性インナーウエストベルトとなる。
【０１４５】
上記実施の形態及び参考例における伸縮性インナーウエストベルトの伸縮性の素材は、何枚かの部分に分かれており、前記部分が互いに接続されてその接続部分には上下方向に支持部材が取り付けられてなるものである。ここで、支持部材としては、金属製のコイルボーンや厚手のベルト芯等を用いることができる。このように伸縮性の素材を何枚かの部分に分けて、それらを接続することによって伸縮性インナーウエストベルトを構成すれば、背面側の下端部の波形のライン等を有する複雑な形状の伸縮性インナーウエストベルトも容易に製造することができる。そして、接続部分に上下方向に支持部材を取り付けることによって、接続部分が上下方向に縮むのを防いで、伸縮性インナーウエストベルトを所定の形状に保つことができ、あらゆる体形の人に適用することができる。
【０１４６】
上記実施の形態及び参考例の伸縮性インナーウエストベルトは、伸縮性の素材の外側の一部または全部に伸縮性のレース生地を縫い付けたものである。これによって、伸縮性インナーウエストベルトの伸縮性を損なうことなく、伸縮性インナーウエストベルトにファッション性を持たせることができる。したがって、特に女性用の伸縮性インナーウエストベルトとして好適である。
【０１４７】
上記実施の形態及び参考例における伸縮性インナーウエストベルトは、伸縮性の素材の前中心に更に１対の下腹引き締めゴムを取り付けて、それぞれ両脇へ向かって引っ張り、先端を係止部材で脇部分に係止するものである。これによって、下腹部を更に強力に引き締めることができ、ウエストライン引き締めの効果が更に向上する。
【０１４８】
上記実施の形態及び参考例における伸縮性インナーウエストベルトは、伸縮性の素材の一方の脇部分に更に下腹引き締めゴムを取り付けて、体の前面を横切ってもう一方の脇へ向かって引っ張り、先端を係止部材で前記もう一方の脇部分に係止するものである。これによって、下腹部を更に強力に引き締めることができ、ウエストライン引き締めの効果が更に向上する。
【０１４９】
上記実施の形態及び参考例における伸縮性インナーウエストベルトは、下腹引き締めゴムは前記伸縮性の素材の前中心または一方の脇部分に取り外し自在に取り付けられているものである。これによって、下腹引き締めゴムが不要な場合は外すことができ、ウエスト部分に適度な引き締め力を与えることができる。
【０１５０】
上記実施の形態及び参考例における伸縮性インナーウエストベルトの係止部材は、１対の接着布であるものである。これによって、容易にかつ確実に下腹引き締めゴムを引っ張って留めることができ、容易かつ確実に下腹部引き締めの効果が得られる。このようにして、着用する人のウエストラインを美しく引き締めるとともに衣服のベルト部の上からベルトをきつく締めてもベルト部の周りに皺、撚れ等が生じることなく見栄えを良好に保つことができる伸縮性インナーウエストベルトとなる。
【０１５１】
上記実施の形態及び参考例における伸縮性インナーウエストベルトの衣服は、ウエストサイズ調節機構付衣服であるものである。ウエストサイズ調節機構付衣服の下に伸縮性インナーウエストベルトを着用することによって、ウエスト部分が引き締められてウエストラインが美しく保たれる。そして、本発明者の発明にかかる上述のウエストサイズ調節機構付衣服を始めとするウエストサイズ調節機構付衣服においては、引き締められたウエストサイズに合わせて衣服のウエストサイズを縮めることができるので、衣服が着用する人のウエストサイズにぴったりフィットし、ベルト部の周りに皺、撚れ等が全く生じることなく見栄えをより良好に保つことができる。
【図面の簡単な説明】
【０１５２】
【図１】図１（ａ）は参考例１にかかる伸縮性インナーウエストベルトの接続を外して伸ばした状態を示す全体正面図、（ｂ）は伸縮性インナーウエストベルトの両端を接続して着用状態としたときの正面から見た全体を示す斜視図、（ｃ）は着用状態としたときの背面のみを示す背面図である。
【図２】図２は参考例１にかかる伸縮性インナーウエストベルトの製造工程を示す説明図である。
【図３】図３は参考例１にかかる伸縮性インナーウエストベルトの前面部分の構造を表から見て示す一部正面図である。
【図４】図４（ａ）は参考例１にかかる伸縮性インナーウエストベルトをズボンの裏側に着脱自在に接続するＺナップの構造を示す説明図、（ｂ）は伸縮性インナーウエストベルトをズボンの裏側に装着した状態を示す斜視図である。
【図５】図５（ａ）は参考例２にかかる伸縮性インナーウエストベルトの接続を外して伸ばした状態を示す全体正面図、（ｂ）は伸縮性インナーウエストベルトの両端を接続して着用状態としたときの正面から見た全体を示す斜視図、（ｃ）は着用状態としたときの背面のみを示す背面図である。
【図６】図６は参考例２にかかる伸縮性インナーウエストベルトの製造工程を示す説明図である。
【図７】図７は参考例２にかかる伸縮性インナーウエストベルトの前面部分の構造を裏から見て示す図である。
【図８】図８は参考例２にかかる伸縮性インナーウエストベルトをパンツの裏側に装着した状態を示す斜視図である。
【図９】図９（ａ）は参考例３にかかる伸縮性インナーウエストベルトの参考例１タイプの接続方法を示す斜視図、（ｂ）は参考例３にかかる伸縮性インナーウエストベルトの参考例２タイプの接続方法を示す斜視図である。
【図１０】図１０は参考例３にかかる伸縮性インナーウエストベルトの接続方法のバリエーションを示す説明図である。
【図１１】図１１（ａ）は参考例４にかかる伸縮性インナーウエストベルトのオープンファスナーを閉じた状態を示す斜視図、（ｂ）はオープンファスナーを開いた状態を示す斜視図である。
【図１２】図１２（ａ）は本参考例４にかかる伸縮性インナーウエストベルトのゴムベルト部分を示す部分拡大図、（ｂ）はベルト先端を通す開口部を示す部分拡大図である。
【図１３】図１３は参考例４にかかる伸縮性インナーウエストベルトの第１変形例を示す図である。
【図１４】図１４は参考例４にかかる伸縮性インナーウエストベルトの第２変形例を示す図である。
【図１５】図１５は参考例４にかかる伸縮性インナーウエストベルトの第３変形例を示す図である。
【図１６】図１６は参考例４にかかる伸縮性インナーウエストベルトの第４変形例を示す図である。
【図１７】図１７は参考例４にかかる伸縮性インナーウエストベルトの第５変形例を示す図である。
【図１８】図１８は参考例４にかかる伸縮性インナーウエストベルトの第６変形例を示す図である。
【図１９】図１９は参考例４にかかる伸縮性インナーウエストベルトの第７変形例を示す図である。
【図２０】図２０は参考例４にかかる伸縮性インナーウエストベルトの第８変形例を示す図である。
【図２１】図２１は参考例４にかかる伸縮性インナーウエストベルトの第９変形例を示す図である。
【図２２】図２２（ａ）〜（ｈ）はゴムベルトの先端や布の先端を通す開口部の作製方法のバリエーションを示す部分拡大図である。
【図２３】図２３（ａ）は本発明の実施の形態１にかかる伸縮性インナーウエストベルトの全体を正面から見た斜視図、（ｂ）は背面図である。
【図２４】図２４は生地を重ねた部分を示す部分拡大図である。
【図２５】図２５は股上の縫付け方法を示す部分拡大図である。
【図２６】図２６（ａ）は参考例５にかかる伸縮性インナーウエストベルト専用のズボンを背面から見た斜視図、（ｂ）は参考例５にかかる伸縮性インナーウエストベルトを背面から見た斜視図である。
【図２７】図２７は参考例５にかかる伸縮性インナーウエストベルトを改良したものを示す正面図である。
【図２８】図２８は参考例５にかかる伸縮性インナーウエストベルトを改良したものを示す部分拡大図である。
【図２９】図２９は参考例５にかかる伸縮性インナーウエストベルトを更に改良したものを示す部分拡大図である。
【図３０】図３０は参考例５にかかる伸縮性インナーウエストベルトを別の方法で改良したものを示す部分拡大図である。
【図３１】図３１は参考例６にかかる伸縮性インナーウエストベルトを前から見た正面図である。
【図３２】図３２は参考例６にかかる伸縮性インナーウエストベルトの変形例を前から見た正面図である。
【図３３】図３３（ａ）は参考例６にかかる伸縮性インナーウエストベルトの他の変形例を前から見た正面図、（ｂ）は羽根部分だけを取り外した状態を示す正面図、（ｃ）はズボンに羽根部分を取り付けた状態を示す部分拡大図である。
【図３４】図３４（ａ）は参考例７にかかる伸縮性インナーウエストベルトを前から見た正面図、（ｂ）はズボンに羽根を取り付けた状態を示す部分拡大図である。
【図３５】図３５は参考例７にかかる伸縮性インナーウエストベルトの第１の変形例を前から見た正面図である。
【図３６】図３６は参考例７にかかる伸縮性インナーウエストベルトの第２の変形例を前から見た正面図である。
【図３７】図３７は参考例７にかかる伸縮性インナーウエストベルトの第３の変形例を前から見た正面図である。
【図３８】図３８は参考例７にかかる伸縮性インナーウエストベルトの第４の変形例を前から見た正面図である。
【図３９】図３９は参考例７にかかる伸縮性インナーウエストベルトの第５の変形例を前から見た正面図である。
【図４０】図４０（ａ）は羽根部分を両脇に向けて引っ張る構造の模式図、（ｂ）は羽根部分を一方の脇から他方の脇へ向けて引っ張る構造の模式図である。
【図４１】図４１（ａ）は参考例８にかかる伸縮性インナーウエストベルトを前から見た正面図、（ｂ）は裏面図、（ｃ）は背面図である。
【図４２】図４２は参考例８にかかる伸縮性インナーウエストベルトの変形例を前から見た正面図である。
【図４３】図４３（ａ）は参考例９にかかる伸縮性インナーウエストベルトの背面図、（ｂ）は正面図である。
【符号の説明】
【０１５３】
１，２１，４０，４５，４６，５０，７７，８１，９０，９４，９５，９７，９８，９９，１００，１０１，１０３，１０４，１０７，１１０  伸縮性インナーウエストベルト
２  ゴムテープ
３，２３，５３，５５ａ，５５ｂ，７７Ａ，
７７Ｂ，７７Ｃ，９１，９１ａ  伸縮性の素材
３ａ，３ｂ，３ｃ，３ｄ，３ｅ，３ｆ，３ｇ，
２３ａ，２３ｂ，２３ｃ，２３ｄ，２３ｅ  部分
４，４Ａ，４Ｂ，５７ａ，５７ｂ，５８ａ，５８ｂ，６９ａ，６９ｂ，
７０ａ，７０ｂ，７３ａ，７３ｂ，８２，８４，８７，９３  接着布
５ａ，５ｂ，５ｃ，５ｄ，５ｅ，
２５ａ，２５ｂ，２５ｃ，２５ｄ，５２ａ，８１ａ  接続部分
１１  支持部材
１５，３５，８０  衣服（ウエストサイズ調節機構付衣服）
２２  伸縮性のレース生地
４２  ドット釦
４３  土台布
８６  下腹引き締めゴム
【図１】
2005171477.tif 000003
【図２】
2005171477.tif 000004
【図３】
2005171477.tif 000005
【図４】
2005171477.tif 000006
【図５】
2005171477.tif 000007
【図６】
2005171477.tif 000008
【図７】
2005171477.tif 000009
【図８】
2005171477.tif 000010
【図９】
2005171477.tif 000011
【図１０】
2005171477.tif 000012
【図１１】
2005171477.tif 000013
【図１２】
2005171477.tif 000014
【図１３】
2005171477.tif 000015
【図１４】
2005171477.tif 000016
【図１５】
2005171477.tif 000017
【図１６】
2005171477.tif 000018
【図１７】
2005171477.tif 000019
【図１８】
2005171477.tif 000020
【図１９】
2005171477.tif 000021
【図２０】
2005171477.tif 000022
【図２１】
2005171477.tif 000023
【図２２】
2005171477.tif 000024
【図２３】
2005171477.tif 000025
【図２４】
2005171477.tif 000026
【図２５】
2005171477.tif 000027
【図２６】
2005171477.tif 000028
【図２７】
2005171477.tif 000029
【図２８】
2005171477.tif 000030
【図２９】
2005171477.tif 000031
【図３０】
2005171477.tif 000032
【図３１】
2005171477.tif 000033
【図３２】
2005171477.tif 000034
【図３３】
2005171477.tif 000035
【図３４】
2005171477.tif 000036
【図３５】
2005171477.tif 000037
【図３６】
2005171477.tif 000038
【図３７】
2005171477.tif 000039
【図３８】
2005171477.tif 000040
【図３９】
2005171477.tif 000041
【図４０】
2005171477.tif 000042
【図４１】
2005171477.tif 000043
【図４２】
2005171477.tif 000044
【図４３】
2005171477.tif 000045